(57)【要約】【課題】フロントキャビネットに関わるコストを低減することが可能な薄型表示装置を提供する。【解決手段】液晶パネル１６ｂを表示面１６ｂ１側から覆いつつ略矩形の開口部１０ａ１から表示面１６ｂ１を外部に露見させるフロントキャビネット１０ａと、フロントキャビネット１０ａに表示面１６ｂ１裏側から合わさることで液晶パネル１６ｂを内部に収容する筐体１０を構成するリアキャビネット１０ｂとを具備する液晶テレビジョン装置１００において、フロントキャビネット１０ａは、４つの部品３０Ａ、３０Ｂ、３０Ｃ、３０Ｄに分割され且つ一つの金型内に相互に近接して配置されて同時に成形された部品から組み立てられる略矩形状の樹脂製枠である構成とされる。【選択図】図３
2009267575.tif 000002
【特許請求の範囲】
【請求項１】
画像を表示する薄型表示パネルと、該薄型表示パネルを表示面側から覆いつつ略矩形の開口部から該表示面を外部に露見させるフロントキャビネットと、該フロントキャビネットに上記表示面裏側から合わさることで上記薄型表示パネルを内部に収容する筐体を構成するリアキャビネットとを具備する薄型表示装置において、
上記フロントキャビネットは、複数に分割され且つ一つの金型内に相互に近接して配置されて同時に成形された部品から組み立てられる略矩形状の樹脂製枠であることを特徴とする薄型表示装置。
【請求項２】
上記フロントキャビネットの部品は、成形に際して金型に配置されるときの投影面積が一体型のフロントキャビネットに比較して小さくなるように、複数に分割され且つ金型内に配置されて成形されることを特徴とする請求項１に記載の薄型表示装置。
【請求項３】
上記フロントキャビネットの部品は、成形に際して金型に配置されるときの投影面積が可及的に小さくなるように、複数に分割され且つ金型内に配置されて成形されることを特徴とする請求項２に記載の薄型表示装置。
【請求項４】
上記フロントキャビネットは、上記分割された部品が相互にネジ止めにより固定されることで組み立てられるものであり、
該固定の際には、上記薄型表示パネル及び上記リアキャビネットの少なくとも一方と共にネジ止めされることを特徴とする請求項１乃至３の何れかに記載の薄型表示装置。
【請求項５】
上記フロントキャビネットの部品は、成形に際して金型に配置されるときの投影面積が一体型のフロントキャビネットに比較して可及的に小さくなるように、上記略矩形状の枠における上下の長辺及び左右の短辺にそれぞれ対応する直線状の４つの部品に分割され且つ該上下の長辺に対応する２つの部品と同一線上に可及的に間隙無く縦列して並べられた該左右の短辺に対応する２つの部品とがそれぞれ可及的に間隙無く平行して金型内に配置されて成形されるものであり、
上記成形された４つの部品がそれぞれ上記略矩形状の枠に対応する位置に上記表示面側を下にして配置されて上記フロントキャビネットが仮固定され、該フロントキャビネットに上記薄型表示パネルが載置され、
上記上下各長辺に対応する部品のセンター近傍を含む少なくとも１カ所にて該薄型表示パネルが該フロントキャビネットにネジ止めにより固定され、
該薄型表示パネルを収容しつつ該フロントキャビネットに上記リアキャビネットが合わせられ、上記左右各短辺に対応する部品のセンター近傍を含む少なくとも１カ所にて該薄型表示パネル及び該リアキャビネットが該フロントキャビネットにネジ止めにより固定され、
上記略矩形状の枠における四隅に対応する位置にて該薄型表示パネル及び該リアキャビネットと共に該上下各長辺に対応する部品と該左右各短辺に対応する部品とが相互にネジ止めにより固定されることで、
該フロントキャビネットと共に上記筐体が組み立てられることを特徴とする請求項１に記載の薄型表示装置。 
【発明の詳細な説明】
【技術分野】
【０００１】
本発明は、フロントキャビネットとリアキャビネットとから構成される筐体に薄型表示パネルを収容する薄型表示装置に係り、特に、フロントキャビネットを成形する技術に関する。
【背景技術】
【０００２】
画像を表示する薄型表示パネルと、その薄型表示パネルを表示面側から覆いつつ略矩形の開口部から表示面を外部に露見させるフロントキャビネットと、そのフロントキャビネットに表示面裏側から合わさることで薄型表示パネルを内部に収容する筐体を構成するリアキャビネットとを備える薄型表示装置がよく知られている。
例えば、図７は、薄型表示装置の従来例を示す分解斜視図である。図７に示すように、薄型表示装置１においては、フロントキャビネット３は前面に映像を表示するための開口部を有しており、液晶パネル２がこのフロントキャビネット３にネジ止めされた後、フロントキャビネット３にリアキャビネット４が組み付けられることにより薄型表示パネル２等を収納するように筐体５が組み立てられる。
【０００３】
ところで、例えばフロントキャビネットを樹脂成形する場合、実際の成形部分は薄型表示パネルの表示面を外部に露見させるための開口部分の空間を除いた略矩形状の枠部分であるが、成形に用いられる金型の平面サイズ（正面投影面積）としては少なくともフロントキャビネットの平面サイズ以上の大きさが必要となる。そうすると、成形機も金型の大きさに合った大きさが必要となる。従って、実際の成形部分の大きさに比べ、必要以上に金型や成形機が大きくなってしまい、コストアップとなる可能性があった。
また、例えばフロントキャビネットを塗装する場合、実際の塗装部分は略矩形状の枠部分であるが、薄型表示パネルの表示面を外部に露見させるための開口部分の空間にも塗料が吹き付けられる可能性があり、これもコストアップとなる可能性があった。
【０００４】
フロントキャビネットの成形に関し、特許文献１には、フロントキャビネットを分割し、機種やブラウン管の大きさによらず、共通部品化を図ることにより製作費、取り扱いを容易にする方法が提案されている。
【特許文献１】特開平５−２３６３９８号公報
【発明の開示】
【発明が解決しようとする課題】
【０００５】
しかしながら、上記特許文献１は、機種やブラウン管の大きさが異なればその都度フロントキャビネットを一体成形するための金型が必要になるという課題に対処するための方法であり、上述したような実際の成型部分に比較してコストアップとなる課題を解決するための方法ではなかった。このようなコストアップを抑制することについては未だ提案されていない。
【０００６】
本発明は上記課題に鑑みて為されたもので、その目的とするところは、フロントキャビネットに関わるコストを低減することが可能な薄型表示装置を提供することにある。
【課題を解決するための手段】
【０００７】
上記目的を達成するための本発明は、画像を表示する薄型表示パネルと、該薄型表示パネルを表示面側から覆いつつ略矩形の開口部から該表示面を外部に露見させるフロントキャビネットと、該フロントキャビネットに上記表示面裏側から合わさることで上記薄型表示パネルを内部に収容する筐体を構成するリアキャビネットとを具備する薄型表示装置において、上記フロントキャビネットは、複数に分割され且つ一つの金型内に相互に近接して配置されて同時に成形された部品から組み立てられる略矩形状の樹脂製枠である構成としてある。
【０００８】
上記のように構成された本発明の薄型表示装置において、複数に分割され且つ相互に近接して配置されたフロントキャビネットの平面サイズは、一体型のフロントキャビネットの平面サイズに比較して、小さくすることが可能となる。従って、分割したフロントキャビネットを同時に成形するための１つ金型の平面サイズを、フロントキャビネットを一体成形するための金型の平面サイズに比較して、小さくすることが可能になる。また、フロントキャビネットを塗装する場合、一体型のフロントキャビネットに比較して、塗装面積を小さくすることが可能になる。
【０００９】
また、好適には、上記フロントキャビネットの部品は、成形に際して金型に配置されるときの投影面積が一体型のフロントキャビネットに比較して小さくなるように、複数に分割され且つ金型内に配置されて成形される構成としても良い。このように構成されることで、フロントキャビネットを一体成形するための金型の平面サイズに比較して、金型の平面サイズが小さくされる。また、フロントキャビネットを塗装する場合、一体型のフロントキャビネットに比較して、塗装面積が小さくされる。
【００１０】
また、好適には、上記フロントキャビネットの部品は、成形に際して金型に配置されるときの投影面積が可及的に小さくなるように、複数に分割され且つ金型内に配置されて成形される構成としても良い。このように構成されることで、金型の平面サイズが可及的に小さくされる。また、フロントキャビネットを塗装する場合、塗装面積が可及的に小さくされる。
【００１１】
また、好適には、上記フロントキャビネットは、上記分割された部品が相互にネジ止めにより固定されることで組み立てられるものであり、該固定の際には、上記薄型表示パネル及び上記リアキャビネットの少なくとも一方と共にネジ止めされる構成としても良い。このように構成されることで、フロントキャビネットを分割成形しても、ネジ止めの箇所を一体型のフロントキャビネットと同程度の数とすることが可能になる。
【００１２】
また、好適には、上記フロントキャビネットの部品は、成形に際して金型に配置されるときの投影面積が一体型のフロントキャビネットに比較して可及的に小さくなるように、上記略矩形状の枠における上下の長辺及び左右の短辺にそれぞれ対応する直線状の４つの部品に分割され且つ該上下の長辺に対応する２つの部品と同一線上に可及的に間隙無く縦列して並べられた該左右の短辺に対応する２つの部品とがそれぞれ可及的に間隙無く平行して金型内に配置されて成形されるものであり、上記成形された４つの部品がそれぞれ上記略矩形状の枠に対応する位置に上記表示面側を下にして配置されて上記フロントキャビネットが仮固定され、該フロントキャビネットに上記薄型表示パネルが載置され、上記上下各長辺に対応する部品のセンター近傍を含む少なくとも１カ所にて該薄型表示パネルが該フロントキャビネットにネジ止めにより固定され、該薄型表示パネルを収容しつつ該フロントキャビネットに上記リアキャビネットが合わせられ、上記左右各短辺に対応する部品のセンター近傍を含む少なくとも１カ所にて該薄型表示パネル及び該リアキャビネットが該フロントキャビネットにネジ止めにより固定され、上記略矩形状の枠における四隅に対応する位置にて該薄型表示パネル及び該リアキャビネットと共に該上下各長辺に対応する部品と該左右各短辺に対応する部品とが相互にネジ止めにより固定されることで、該フロントキャビネットと共に上記筐体が組み立てられる構成としても良い。このように構成されることで、フロントキャビネットを一体成形するための金型の平面サイズに比較して、金型の平面サイズが可及的に小さくされる。また、フロントキャビネットを塗装する場合、一体型のフロントキャビネットに比較して、塗装面積が可及的に小さくされる。また、フロントキャビネットを分割成形しても、ネジ止めの箇所が一体型のフロントキャビネットと同程度の数とされる。
【発明の効果】
【００１３】
以上説明したように、本発明によれば、フロントキャビネットを一体成形するための金型の平面サイズに比較して分割したフロントキャビネットを同時に成形するための１つ金型の平面サイズを小さくすることが可能になるので、フロントキャビネットを一体成形することに比較して金型費を抑制（金型費セーブ）したり、小さな成形機を使えることで成形費を減少（成形チャージダウン）したりすることができる。
また、フロントキャビネットを塗装する場合、一体型のフロントキャビネットに比較して塗装面積を小さくすることが可能になるので、フロントキャビネットを一体成形することに比較して開口部分の空間に塗料を吹き付ける必要がない分は少なくとも塗装費（塗装代）を削減することができる。
よって、フロントキャビネットに関わるコストを低減することができる。
【００１４】
また、本発明によれば、金型の平面サイズが可及的に小さくされるので、金型費を一層抑制したり、成形費を一層減少したりすることができる。また、フロントキャビネットを塗装する場合、塗装面積が可及的に小さくされるので、塗装費を一層削減することができる。
【００１５】
また、本発明によれば、フロントキャビネットを分割成形しても、ネジ止めの箇所を一体型のフロントキャビネットと同程度の数とすることが可能になるので、筐体を組み付ける際のネジ止め工数を従来と同程度に収めることができる。
【発明を実施するための最良の形態】
【００１６】
以下、図面にもとづいて本発明の実施形態を説明する。
（１）薄型表示装置の概略構成
（２）フロントキャビネットの具体的な構成と金型における配置
（３）筐体の組立
（４）変形例
（５）まとめ
【００１７】
（１）薄型表示装置の概略構成
以下、図１、２を参照して本発明が適用される薄型表示装置としての液晶テレビジョン装置１００の概略構成を説明する。図１は液晶テレビジョン装置１００を示す斜視図であり、図２は液晶テレビジョン装置１００のブロック構成図である。
尚、本実施形態では薄型表示装置として液晶テレビジョン装置を例示するが、この実施形態に限定されるものではなく、映像を表示可能な表示装置であれば、例えばプラズマテレビやリアプロジェクションテレビや有機ＥＬテレビ等の薄型テレビジョン装置、テレビ機能を有しない液晶ディスプレイやプラズマディスプレイ等の薄型ディスプレイ等であれば、本発明の要旨を逸脱しない範囲で種々の変形実施の形態が可能である。
【００１８】
図１、図２において、液晶テレビジョン装置１００は、筐体１０と、チューナ１１と、フロントエンド１２と、デコーダ１３と、ＯＳＤ回路１４と、音声出力部１５と、画像表示部１６と、リモコン受信部１７と、マイコン１８と、電源回路１９と、記憶部２０とを備えている。これらマイコン１８等の各部は、バス２１にて接続されている。
【００１９】
筐体１０は、例えばフロントキャビネット１０ａとリアキャビネット１０ｂとから構成され、画像を表示する薄型表示パネルとしての液晶パネル１６ｂ等を内部に収容する。フロントキャビネット１０ａは、画像を表示する薄型表示パネルとしての液晶パネル１６ｂを表示面１６ｂ１側から覆いつつ略矩形の開口部１０ａ１から表示面１６ｂ１を外部に露見させる略矩形状の樹脂製枠である。リアキャビネット１０ｂは、フロントキャビネット１０ａに表示面１６ｂ１裏側から合わさることで筐体１０を構成する。
【００２０】
チューナ１１は、例えばアンテナ２２と接続されており、マイコン１８から入力される制御信号に従って、アンテナ２２で受信されるテレビジョン放送信号の中から１つのチャンネル（例えばユーザによって選局されたチャンネル）に対応するテレビジョン放送信号を取得してフロントエンド１２に出力する。
フロントエンド１２は、例えばマイコン１８から入力される制御信号に従って、チューナ１１から出力されたテレビジョン放送信号を中間周波信号に変換して、デコーダ１３に出力する。
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と映像信号とに分離してデコードする。そして、そのデコードした音声信号を音声出力部１５へ出力するとともに、映像信号を画像表示部１６へ出力する。
ＯＳＤ回路１４は、例えばマイコン１８から入力される制御信号に従って、画像表示部１６に所定のＯＳＤ表示（オンスクリーンディスプレイ表示）をさせるためのＯＳＤ表示信号を、デコーダ１３から画像表示部１６へ出力される映像信号に合成する。
音声出力部１５は、例えば音声出力アンプＩＣ１５ａやスピーカ１５ｂなどを有し、音声出力アンプＩＣ１５ａによりデコーダ１３から入力された音声信号に電力増幅等の所定の処理を施して、その音声信号に基づく音声データに応じた音声をスピーカ１５ｂから出力する。
画像表示部１６は、例えばパネル駆動回路１６ａや液晶パネル１６ｂなどを有し、デコーダ１３から出力された映像信号に基づく画像データに応じた画像や、デコーダ１３から出力されてＯＳＤ回路１４によりＯＳＤ表示信号が合成された映像信号に基づく画像データに応じた画像を表示する。
リモコン受信部１７は、例えばリモコン２３から送信された各種信号（制御コマンド）を受信し、それら各種信号に基づく各種データをマイコン１８へ出力する。
リモコン２３は、例えばユーザによって操作され、その操作に応じた各種信号を例えば赤外線或いは電波を用いてリモコン受信部１７へ送信する。
【００２１】
マイコン１８は、例えばＣＰＵ１８ａやＲＡＭ１８ｂやＲＯＭ１８ｃなどを有し、液晶テレビジョン装置１００の動作を制御する。例えば、マイコン１８は、リモコン受信部１７で受信した制御コマンドに基づいて電源のオン／オフ、チャンネルの切換え、音量のアップ／ダウン等を制御する。
ＣＰＵ１８ａは、ＲＯＭ１８ｃに記憶された液晶テレビジョン装置１００用の各種処理プログラムに従って、各種の制御動作を行う。
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
ＲＯＭ１８ｃは、液晶テレビジョン装置１００で実行可能なシステムプログラム、そのシステムプログラムで実行可能な各種処理プログラム、これら各種処理プログラムを実行する際に使用されるデータなどを記憶する。尚、プログラムは、コンピュータが読み取り可能なプログラムコードの形でＲＯＭ１８ｃに記憶されている。
【００２２】
電源回路１９は、例えば部分共振電源回路であり、商用ＡＣ電源を複数種類の所定の電圧に変換して液晶テレビジョン装置１００の各部へ動作電源電圧を出力する。
記憶部２０は、例えばＥＥＰＲＯＭ等の不揮発性半導体メモリで構成されており、放送信号に対応するチャンネル情報やユーザにより設定された各種調整値等を記憶する。
【００２３】
（２）フロントキャビネットの具体的な構成と金型における配置
本実施例においては、フロントキャビネット１０ａは、複数に分割され且つ一つの金型内に相互に近接して配置されて同時に成形された部品から組み立てられる略矩形状の樹脂製枠である。
図３（ａ）はフロントキャビネット１０ａの分割状態を示す図であり、図３（ｂ）は金型におけるフロントキャビネット１０ａの配置状態を示す図であり、何れも表示面１６ｂ１側から見た図である。図３（ａ）に示すように、フロントキャビネット１０ａは、略矩形状の枠における上下の長辺及び左右の短辺にそれぞれ対応する直線状の４つの部品３０Ａ、３０Ｂ、３０Ｃ、３０Ｄに分割されている。これら４つの部品３０Ａ、３０Ｂ、３０Ｃ、３０Ｄは、図３（ｂ）に示すように、成形に際して上下の長辺に対応する部品３０Ａ、３０Ｂと、同一線上に可及的に間隙無く縦列して並べられた左右の短辺に対応する部品３０Ｃ、３０Ｄとがそれぞれ可及的に間隙無く平行して金型内に配置されて成形される。
例えば、成形に際して金型に配置されるときの投影面積が一体型のフロントキャビネットに比較して小さくなるように、好適には可及的に小さくなるように、フロントキャビネット１０ａは４つの部品３０Ａ、３０Ｂ、３０Ｃ、３０Ｄに分割され、且つ金型内に配置されて成形される。上記投影面積は、表示面１６ｂ１側から見たときの平面における面積に相当する。このように、４つの部品３０Ａ、３０Ｂ、３０Ｃ、３０Ｄに分割され且つ相互に近接して配置されたフロントキャビネット１０ａの平面サイズは、一体型のフロントキャビネットの平面サイズに比較して、小さくすることができる。
【００２４】
図３の二点鎖線で示した大きさが金型の投影面積（サイズ）を表している。図３（ａ）の二点鎖線で示した大きさが、例えば一体型のフロントキャビネットを成形する場合に少なくとも必要となる金型の投影面積である。また、図３（ｂ）の二点鎖線で示した大きさが、フロントキャビネット１０ａを４つの部品３０Ａ、３０Ｂ、３０Ｃ、３０Ｄに分割して成形する場合に少なくとも必要となる金型の投影面積である。このように、一体型のフロントキャビネットを成形する場合の開口部１０ａ１内の空間部分がフロントキャビネット１０ａを分割、配置することで無くなることから、分割したフロントキャビネット１０ａを同時に成形するための１つ金型の平面サイズを、フロントキャビネットを一体成形するための金型の平面サイズに比較して、小さくすることができる。
【００２５】
また、成形後にフロントキャビネット１０ａへ塗装を施す場合、分割且配置されたフロントキャビネット１０ａにおいては、開口部１０ａ１内の空間部分への塗装が無い分、一体型のフロントキャビネットに比較して、塗装面積を小さくすることが可能になる。
【００２６】
（３）筐体の組立
フロントキャビネット１０ａは、分割された４つの部品３０Ａ、３０Ｂ、３０Ｃ、３０Ｄが相互にネジ止めにより固定されることで組み立てられる。この固定の際には、液晶パネル１６ｂ及びリアキャビネット１０ｂの少なくとも一方と共にネジ止めされる。
図４は筐体１０の組立手順を説明する図であり、図５は図４におけるＡ−Ａ断面の概略図であり、図４は表示面１６ｂ１の裏側から見た図である。
【００２７】
図４、５において、成形された４つの部品３０Ａ、３０Ｂ、３０Ｃ、３０Ｄがフロントキャビネット１０ａの略矩形状の枠にそれぞれ対応する位置に表示面１６ｂ１側を下にして配置されることでフロントキャビネット１０ａが仮固定される（図４（ａ））。この仮固定では、例えば図５に示すように、部品３０Ａ、３０Ｂの端部に形成された凸部３２に部品３０Ｃ、３０Ｄの端部に形成された引掛部３４が嵌められる。
次いで、仮固定されたフロントキャビネット１０ａ上の所定位置に液晶パネル１６ｂが載置され、上下各長辺に対応する部品３０Ａ、３０Ｂのセンター近傍位置Ｃａ、Ｃｂにて液晶パネル１６ｂがフロントキャビネット１０ａ（部品３０Ａ、３０Ｂ）にネジ止めにより固定される（図４（ｂ））。
更に、液晶パネル１６ｂを収容しつつフロントキャビネット１０ａにリアキャビネット１０ｂが合わせられる。そして、左右各短辺に対応する部品３０Ｃ、３０Ｄのセンター近傍位置Ｃｃ、Ｃｄにて液晶パネル１６ｂ及びリアキャビネット１０ｂが共にフロントキャビネット１０ａ（部品３０Ｃ、３０Ｄ）にネジ止めにより固定される。加えて、フロントキャビネット１０ａの略矩形状の枠における四隅に対応する位置Ｓａ、Ｓｂ、Ｓｃ、Ｓｄすなわち凸部３２に引掛部３４が嵌められている位置にて液晶パネル１６ｂ及びリアキャビネット１０ｂと共に部品３０Ａ、３０Ｂと部品３０Ｃ、３０Ｄとが相互にネジ止めにより固定される（図４（ｃ））。
このようにして、フロントキャビネット１０ａと共に筐体１０が組み立てられる。従って、フロントキャビネット１０ａのみを単独で組み立てておらず、４つの部品３０Ａ、３０Ｂ、３０Ｃ、３０Ｄに分割したためにネジ止めの工数が増加するわけではない。
【００２８】
（４）変形例
図６は、フロントキャビネット１０ａの分割状態及び金型におけるフロントキャビネット１０ａの配置状態の変形例を示す図であり、図３に相当する。
図６において、各部品は直線状でなくそれぞれフロントキャビネット１０ａの略矩形状の枠における四隅部分を含むＬ字状の４つの部品４０Ａ、４０Ｂ、４０Ｃ、４０Ｄに分割され、金型の投影面積が可及的に小さくなるように金型に配置される。
【００２９】
（５）まとめ
上述のように、本実施例によれば、４つの部品３０Ａ、３０Ｂ、３０Ｃ、３０Ｄに分割され且つ相互に近接して配置されたフロントキャビネット１０ａの平面サイズは、一体型のフロントキャビネットの平面サイズに比較して、小さくすることが可能となる。
従って、フロントキャビネットを一体成形するための金型の平面サイズに比較して分割したフロントキャビネット１０ａを同時に成形するための１つ金型の平面サイズを小さくすることができるので、フロントキャビネット１０ａを一体成形することに比較して金型費を抑制（金型費セーブ）したり、小さな成形機を使えることで成形費を減少（成形チャージダウン）したりすることができる。また、フロントキャビネット１０ａを塗装する場合、一体型のフロントキャビネットに比較して塗装面積を小さくすることができるので、フロントキャビネット１０ａを一体成形することに比較して開口部分の空間に塗料を吹き付ける必要がない分は少なくとも塗装費（塗装代）を削減することができる。
よって、フロントキャビネット１０ａに関わるコストを低減することができる。
【００３０】
また、本実施例によれば、金型の平面サイズが可及的に小さくされるので、金型費を一層抑制したり、成形費を一層減少したりすることができる。また、フロントキャビネット１０ａを塗装する場合、塗装面積が可及的に小さくされるので、塗装費を一層削減することができる。
【００３１】
また、本実施例によれば、フロントキャビネット１０ａを分割成形しても、ネジ止めの箇所を一体型のフロントキャビネットと同程度の数とすることができるので、筐体１０を組み付ける際のネジ止め工数を従来と同程度に収めることができる。
【００３２】
以上、本発明の実施例を図面に基づいて詳細に説明したが、本発明はその他の態様においても適用される。
【００３３】
例えば、前述の実施例における分割した部品３０Ａ、３０Ｂ、３０Ｃ、３０Ｄや部品４０Ａ、４０Ｂ、４０Ｃ、４０Ｄの金型における配置はあくまでも一例であり、金型の投影面積が少なくとも一体型のフロントキャビネットを成形する為の金型の投影面積に比べて小さくなるように配置されればよい。
また、フロントキャビネット１０ａの分割数も４つに限られる必要はなく、金型の投影面積が少なくとも一体型のフロントキャビネットを成形する為の金型の投影面積に比べて小さくなるように分割されればよい。
また、筐体１０を組み立てる際のネジ止めの位置はあくまでも一例である。例えば、必ずしもセンター近傍にネジ止めする必要はないし、ネジ止め位置の数も筐体の大きさ等を考慮して適宜変更されればよい。
【００３４】
なお、上述したのはあくまでも一実施形態であり、本発明は当業者の知識に基づいて種々の変更、改良を加えた態様で実施することができる。
【図面の簡単な説明】
【００３５】
【図１】本発明が適用される液晶テレビジョン装置を例示する斜視図である。
【図２】液晶テレビジョン装置の構成を例示するブロック図である。
【図３】（ａ）はフロントキャビネットの分割状態を例示する図であり、（ｂ）は金型におけるフロントキャビネットの配置状態を例示する図である。
【図４】筐体の組立手順の一例を説明する図である。
【図５】図４におけるＡ−Ａ断面を例示する部分断面図である。
【図６】フロントキャビネットの分割状態及び金型におけるフロントキャビネットの配置状態の変形例を例示する図である。
【図７】薄型表示装置の従来例を例示する分解斜視図である。
【符号の説明】
【００３６】
１０：筐体
１０ａ：フロントキャビネット
１０ａ１：開口部
１０ｂ：リアキャビネット
１６ｂ：液晶パネル（薄型表示パネル）
１６ｂ１：表示面
３０Ａ、３０Ｂ：上下の長辺に対応する２つの部品
３０Ｃ、３０Ｄ：左右の短辺に対応する２つの部品
４０Ａ、４０Ｂ、４０Ｃ、４０Ｄ：部品
１００：液晶テレビジョン装置（薄型表示装置） 
【図１】
2009267575.tif 000003
【図２】
2009267575.tif 000004
【図３】
2009267575.tif 000005
【図４】
2009267575.tif 000006
【図５】
2009267575.tif 000007
【図６】
2009267575.tif 000008
【図７】
2009267575.tif 000009